(57)【特許請求の範囲】
【請求項１】
各種信号を入力させる入力手段と、各種通信データの通信を行う通信手段とを有する携帯無線機であって、
第１の筐体と、
前記第１の筐体に回動可能に連結されて前記第１の筐体に対して開閉可能とされた第２の筐体と、
前記第２の筐体を開いた際に露出される第１の表示手段と、
前記第２の筐体の開閉に関係なく露出される第２の表示手段と、
所定の操作がなされると、前記第２の表示手段に、前記通信手段により受信した前記文字データまたは前記画像データに対応する文字または画像を、前記第２の表示手段の表示面の面積分だけ表示させ、その後、前記所定の操作がなされると、前記前記文字データまたは前記画像データに対応する文字または画像の内、表示されていない文字または画像を、前記第２の表示手段の表示面の面積分だけ表示させることを指示する表示駆動制御手段と、
を有することを特徴とする携帯無線機。
【請求項２】
各種信号を入力させる入力手段と、各種通信データの通信を行う通信手段とを有する携帯無線機であって、
第１の筐体と、
前記第１の筐体に回動可能に連結されて前記第１の筐体に対して開閉可能とされた第２の筐体と、
前記第２の筐体を開いた際に露出される第１の表示手段と、
前記第２の筐体の開閉に関係なく露出される第２の表示手段と、
第１の操作キーが押下された場合には、前記第２の表示手段に、前記通信手段により受信した前記文字データまたは前記画像データに対応する文字または画像を、所定の時間毎にスクロールしながら表示させ、第２の操作キーが押下された場合には、前記第２の表示手段に、受信した前記文字データまたは前記画像データに対応する文字または画像を、前記第２の表示手段の表示面の面積分だけ表示させ、その後、第３の操作キーが押下されると、前記文字データまたは前記画像データに対応する文字または画像の内、表示されていない文字または画像を、前記第２の表示手段の表示面の面積分だけ表示させることを指示する表示駆動制御手段と、
を有することを特徴とする携帯無線機。
【請求項３】
前記第２の操作キーと前記第３の操作キーとは、同一の操作キーであることを特徴とする請求項２に記載の携帯無線機。
【発明の詳細な説明】
【０００１】
【発明の属する技術分野】
本発明は、折り畳み構造の携帯無線機に関する。
【０００２】
【従来の技術】
近年、データの高速伝送が可能なＰＤＣ（Personal Digital Cellular）、ＣＤＭＡ（Code Division Multiple Access）、ＧＳＭ（Global System  for Mobile Communication）やＰＨＳ（Personal Handy-phone System）等の通信手段を用いた携帯無線機が広く用いられ、さらに、次世代の技術として開発されているＷＣＤＭＡ（Wide band CDMA）、ＣＤＭＡ２０００等の通信手段を用いたものが開発されつつある。
【０００３】
この種の携帯無線機には、携帯性を高めるために、折り畳み構造のものが知られているが、このように折り畳み式の携帯無線機では、折り畳んだ際に、表示部が外部から見えなくなってしまっていた。
このため、折り畳んだ状態でも、表示機能が損なわれない構造の携帯無線機として、特開平６−３７６９７号公報に示されているように、折り畳んだときにも外部から見ることができる第２の表示部を設けたものがある。
【０００４】
【発明が解決しようとする課題】
上述したように、折り畳み構造の携帯無線機には、折り畳んだ時にも外部から見ることのできる表示部が設けられたものもあるが、この様な表示部は、補助的なものと考えられ、通常の表示部に比べて、表示面積が小さいものであった。
【０００５】
本発明は、以上のことに鑑みてなされたものであり、その目的は、折り畳んだときに外部から見ることができる表示部で、受信したデータに対応する文字または画像の全てを表示できる折り畳み構造の携帯無線機を提供することにある。
【０００６】
【課題を解決するための手段】
上記目的を達成するために、本発明は、以下の手段を採用した。
【０００７】
本発明は、各種信号を入力させる入力手段と、各種通信データの通信を行う通信手段とを有する携帯無線機であって、第１の筐体と、前記第１の筐体に回動可能に連結されて前記第１の筐体に対して開閉可能とされた第２の筐体と、前記第２の筐体を開いた際に露出される第１の表示手段と、前記第２の筐体の開閉に関係なく露出される第２の表示手段と、所定の操作がなされると、前記第２の表示手段に、前記通信手段により受信した前記文字データまたは前記画像データに対応する文字または画像を、前記第２の表示手段の表示面の面積分だけ表示させ、その後、前記所定の操作がなされると、前記前記文字データまたは前記画像データに対応する文字または画像の内、表示されていない文字または画像を、前記第２の表示手段の表示面の面積分だけ表示させることを指示する表示駆動制御手段と、を有することを特徴とする。
上記の構成とすることによって、表示駆動制御手段の指示により、受信したデータに対応する文字または画像を切り換えて表示するので、折り畳んだときに外部から見ることができる表示部で、受信したデータに対応する文字または画像の全てを表示できる。
また、例えば、所定の操作にキーを用いる場合、所定の操作に用いるキーを共通の１つのキーとすることができるので、携帯無線機の部品点数を少なくすることができ、より小型，軽量な携帯無線機とすることができる。
【０００８】
また、本発明は、各種信号を入力させる入力手段と、各種通信データの通信を行う通信手段とを有する携帯無線機であって、第１の筐体と、前記第１の筐体に回動可能に連結されて前記第１の筐体に対して開閉可能とされた第２の筐体と、前記第２の筐体を開いた際に露出される第１の表示手段と、前記第２の筐体の開閉に関係なく露出される第２の表示手段と、第１の操作キーが押下された場合には、前記第２の表示手段に、前記通信手段により受信した前記文字データまたは前記画像データに対応する文字または画像を、所定の時間毎にスクロールしながら表示させ、第２の操作キーが押下された場合には、前記第２の表示手段に、受信した前記文字データまたは前記画像データに対応する文字または画像を、前記第２の表示手段の表示面の面積分だけ表示させ、その後、第３の操作キーが押下されると、前記文字データまたは前記画像データに対応する文字または画像の内、表示されていない文字または画像を、前記第２の表示手段の表示面の面積分だけ表示させることを指示する表示駆動制御手段と、を有することを特徴とする。
また、本発明は、上記携帯無線機において、前記第２の操作キーと前記第３の操作キーとは、同一の操作キーであることを特徴とする。
上記構成とすることにより、第２の操作キーと第３の操作キーとを共通の１つのキーとすることができるので、携帯無線機の部品点数を少なくすることができ、より小型，軽量な携帯無線機とすることができる。
【０００９】
【発明の実施の形態】
以下、本発明の実施の形態の携帯無線機を図面を参照して説明する。
図１及び図２において、符号１は、携帯無線機である。この携帯無線機は、第１の筐体２と、この第１の筐体２の上端部に、ヒンジ３によって回動可能に連結された第２の筐体４とを有しており、ヒンジ３による連結箇所にて第２の筐体４を回動させることにより、第２の筐体４が第１の筐体２に対して開閉されるようになっている。
つまり、第２の筐体４が閉じた状態（図２の状態）から第２の筐体４を回動させることにより、第２の筐体４が開いた状態（図１の状態）とされ、これとは逆に、第２の筐体４が開いた状態から第２の筐体４を逆方向へ回動させることにより、第２の筐体４が閉じた状態とされるようになっている。
【００１０】
第２の筐体４には、閉じることにより第１の筐体２と合わされる側である正面側に、メイン表示部用窓１１ａが設けられ、また、その裏面に、メイン表示部用窓より小さいサブ表示部用窓１２ｂが設けられている。これらメイン表示部用窓１１ａ及びサブ表示部用窓１２ｂは、それぞれ第２の筐体４内に設けられた液晶板を臨む位置に設けられており、携帯無線機１の使用者は、このメイン表示用窓１１ａまたはサブ表示部用窓１２ｂを透して液晶板に表示された文字や画像を見ることができる。また、第２の筐体４には、その正面側における上端部に、スピーカ（音声出力手段）１３が設けられている。
【００１１】
第１の筐体２には、第２の筐体４によって閉ざされる正面側に、操作用の複数の操作キー（入力手段）１４が配設されており、これら操作キー１４から各種の入力を行うことができるようになっている。また、側面側には、操作キー１７−１，１７−２，１７−３が設けられている。
また、第１の筐体２には、その正面側における下端部にマイク（音声入力手段）１５が設けられており、さらに、上端には、その背面側に、伸縮可能なアンテナ１６が設けられ、このアンテナを介して音声データ、文字データ、画像データ等の各種通信データの通信が行われるようになっている。
【００１２】
そして、この携帯無線機１によれば、第２の筐体４を開いた状態にて、そのマイク１５にて音声入力が行われ、スピーカ１３から相手方の音声、着信音、アラーム等が発せられるようになっている。
【００１３】
次に、上記携帯無線機１の機能について図３に示す機能ブロック図を参照して説明する。
図において、符号２１は、表裏への表示が可能な一枚の液晶表示板からなる表示デバイスであり、この表示デバイス２１は、第２の筐体４内に配設されている。符号２１ａは、メイン表示部用窓１１ａを臨む表示デバイス２１のメイン表示デバイス部であり、メイン表示部用窓１１ａがない面には、メイン表示部用反射板２２が設けられている。また、符号２１ｂは、サブ表示部用窓１２ｂを臨む表示デバイス２１のサブ表示デバイス部であり、サブ表示部用窓１２ｂがない面には、サブ表示部用反射板２３が設けられている。
【００１４】
符号２４は、表示デバイス２１の一端に設けられた表示ドライバであり、この表示ドライバ２４は、無線部２６（後述）から入力された文字データや画像データ等の情報を、制御部２５（表示駆動制御手段）からの指示により、表示デバイス２１に表示する。
なお、メイン表示部用窓１１ａ，メイン表示デバイス部２１ａ，表示ドライバ２４で第１の表示手段を構成し、サブ表示部用窓１２ｂ，サブ表示デバイス部２１ｂ，表示ドライバ２４で第２の表示手段を構成する。
【００１５】
また、無線部（通信手段）２６は、アンテナ１６を介して相手方端末との間にて、無線通信回線を用いて音声データ、文字データ、画像データ等の各種通信データの送受信を行うものである。
そして、この無線部２６にて受信された通信データは、図示しない音声処理部にて音声データが取り出されてスピーカ１３から音声を出力させるようになっている。また、マイク１５より入力された音声は、音声信号として音声処理部に入力され、この音声処理部から音声データに変換されて通信データとして無線部２６へ送信され、無線部２６からアンテナ１６を介して相手方端末へ送信されるようになっている。
なお、符号２７は、この携帯無線機１の全ての電力をまかなうバッテリーである。
【００１６】
そして、上記の携帯無線機１では、制御部２５からの制御信号により表示ドライバ２４が駆動されて、表示デバイス２１に各種文字情報や画像情報が表示される。
ここで、上述したように、サブ表示部用窓１２ｂは、メイン表示部用窓１１ａよりも小さいので、表示できる情報が少ない。そこで、携帯無線機１では、サブ表示デバイス部２１ｂが表示する画面を以下のように制御している。
【００１７】
図４は、サブ表示デバイス部２１ｂの制御を示すフローチャートである。
無線部２６は、文字データまたは画像データを受信すると（ステップＳ１０１でＹＥＳ）、表示ドライバ２４にそのデータを出力すると共に、受信したデータが文字データまたは画像データであることを制御部２５に知らせる（ステップＳ１０２）。
制御部２５は、無線部２６の受信したデータが文字データまたは画像データであることを知ると、操作キー１７−１または操作キー１７−２が押されるのを待つ（ステップＳ１０３，１０５）。
【００１８】
操作キー１７−１が押されると（ステップＳ１０３でＹＥＳ）、制御部２５は、表示ドライバ２４に操作キー１７−１が押されたことを知らせ、これにより、表示ドライバ２４は、サブ表示デバイス部２１ｂに、受信したデータに対応する文字または画像をスクロール表示する（ステップＳ１０４）。
【００１９】
すなわち、操作キー１７−１が押されると、表示ドライバ２４は、制御部２５からの指示により、サブ表示デバイス部２１ｂに表示する文字または画像を所定の時間毎に自動的にスクロールして表示する。
従って、携帯無線機１の使用者は、操作キー１７−１を押すことでサブ表示部用窓１２ｂから全ての文字または画像を見ることができる。
【００２０】
また、操作キー１７−２が押されると（ステップＳ１０５でＹＥＳ）、制御部２５は、表示ドライバ２４に操作キー１７−２が押されたことを知らせ、これにより、表示ドライバ２４は、サブ表示デバイス部２１ｂに、受信したデータに対応する文字または画像を手動切り換え表示する。
【００２１】
すなわち、操作キー１７−２が押されると、表示ドライバ２４は、制御部２５からの指示により、サブ表示デバイス部２１ｂに、受信したデータに対応する文字または画像を表示可能なだけ表示し（ステップＳ１０６）、制御部からの指示を待つ。
その後、操作キー１７−３が押されると（ステップＳ１０７でＹＥＳ）、制御部２５は、表示ドライバ２４に操作キー１７−３が押されたことを知らせ、これにより、表示ドライバ２４は、サブ表示デバイス部２１ｂに表示されている文字または画像を消去し、まだ表示していない文字または画像を表示可能なだけ表示する（ステップＳ１０８）。
【００２２】
以後、表示されていない文字または画像がある限り、操作キー１７−３が押される度に同様のことを繰り返す（ステップＳ１０７とステップＳ１０８）。
従って、携帯無線機１の使用者は、操作キー１７−２を押した後に、操作キー１７−３を複数回押すことで、サブ表示部用窓１２ｂから全ての文字または画像を見ることができる。
【００２３】
なお、表示デバイス２１のメイン表示デバイス部２１ａの表示内容は、メイン表示部用窓１１ａから見ることができ、表示デバイス２１のサブ表示デバイス部２１ｂの表示内容は、サブ表示部用窓１２ｂから見ることができる。
【００２４】
以上、この発明の実施形態を図面を参照して詳述してきたが、この発明には、上述した実施形態のみならず、この発明の要旨を逸脱しない範囲の設計，変更等も勿論含まれる。
例えば、第１の筐体２に表示デバイス２１を設けて、この第１の筐体２にメイン表示部用窓１１ａ及びサブ表示部用窓１２ｂを設けても良い。
また、操作キー１７−２と１７−３を共通の操作キーとしてもよい。
また、サブ表示デバイス部２１ｂの表示をスクロール表示とするか、手動切り換え表示とするかを予め設定しておき、文字データまたは画像データを受信すると、自動的にサブ表示デバイス部２１ｂの表示を開始してもよい。この場合、操作キー１７−１と１７−２を共通のキーとしてもよい。
また、操作キー１７−１，１７−２，１７−３は、携帯無線機１の折り畳み時に、操作可能な位置であるらば、どこに設けられていてもよい。また、その形状も操作キー１４と同じ形状である必要はない。さらに、操作の便宜を図るために、操作キー１７−１，１７−２，１７−３を、特定の領域（例えば、他のキーが設けられている面とは別の面）にまとめて設けられていることが望ましい。
【００２５】
【発明の効果】
以上説明したように、本発明によれば、折り畳んだときに外部から見ることができる表示部で、受信したデータに対応する文字または画像の全てを表示できる効果が得られる。
【図面の簡単な説明】
【図１】   本発明の一実施形態による携帯無線機の外観図である。
【図２】   本発明の一実施形態による携帯無線機の外観図である。
【図３】   本発明の一実施形態による携帯無線機の構成を示すブロック図である。
【図４】   サブ表示デバイス部２１ｂの制御の流れを示すフローチャートである。
【符号の説明】
１  携帯無線機
１１ａ  メイン表示部用窓
１２ｂ  サブ表示部用窓
１３  スピーカ
１４  操作キー
１５  マイク
１７−１，１７−２，１７−３  操作キー
２１  表示デバイス
２１ａ  メイン表示デバイス部
２１ｂ  サブ表示デバイス部
２４  表示ドライバ
２５  制御部
２６  無線部
【図１】
0004286428.tif 000002
【図２】
0004286428.tif 000003
【図３】
0004286428.tif 000004
【図４】
0004286428.tif 000005